(57)【特許請求の範囲】
【請求項１】
第１の電子コンポーネントと第２の電子コンポーネントとを接続するように構成されたコネクタであって、当該コネクタは、
貫通孔が配置されるエンクロージャと、
ピンアセンブリであって、該ピンアセンブリは前記エンクロージャ内に配置され、前記ピンアセンブリは前記エンクロージャに対して移動可能であり、前記ピンアセンブリは固定フレームを含み、ピンが前記固定フレームに配置される、ピンアセンブリと、
フレキシブルプリント回路基板であって、該フレキシブルプリント回路基板の一端が前記ピンに接続され、前記フレキシブルプリント回路基板の他端が前記第１の電子コンポーネント内の回路基板に接続されるように構成される、フレキシブルプリント回路基板と、
前記第２の電子コンポーネントに着脱可能に接続されるように構成されるプラグ構造体と、
駆動アセンブリであって、前記第２の電子コンポーネントが前記プラグ構造体に接続されると、前記駆動アセンブリは、前記ピンアセンブリを駆動させて前記エンクロージャに対して前記貫通孔に近づく方向に移動させることができ、それによって、前記ピンは、前記貫通孔の外に延び且つ前記第２の電子コンポーネントに接続される、駆動アセンブリと、を含み、
前記駆動アセンブリは、前記固定フレームに固定された第１の磁石を含み、該第１の磁石は、前記第２の電子コンポーネント内の第２の磁石に一致するように構成され、前記貫通孔は、前記エンクロージャの上部カバーで開口しており、前記第２の電子コンポーネントが前記プラグ構造体に接続されると、前記第１の磁石と前記第２の磁石との間の引力によって、前記第１の磁石及び前記ピンアセンブリを駆動させて前記貫通孔の近くに移動させることができ、
前記固定フレームは、回転シャフトによって前記エンクロージャにヒンジ止めされており、前記駆動アセンブリは、前記固定フレームを駆動させて前記貫通孔の近くに回転させることができ、且つ固定フレームを駆動させて前記貫通孔から離れるように回転させることができる、
コネクタ。
【請求項２】
磁気引力部品が、前記第１の磁石に対応し且つ前記エンクロージャの下部カバーにある位置に配置され、前記第２の電子コンポーネントが前記プラグ構造体に接続されると、前記第１の磁石と前記第２の磁石との間の前記引力は、前記第１の磁石と前記磁気引力部品との間の引力よりも大きい、請求項１に記載のコネクタ。
【請求項３】
弾性部品が、前記ピンアセンブリと前記エンクロージャとの間に配置される、請求項１又は２に記載のコネクタ。
【請求項４】
前記弾性部品はばねであり、該ばねの一端が前記エンクロージャの前記上部カバーに接続され、他端が前記固定フレームに接続されており、前記固定フレームの前記ピンが前記貫通孔の外に延びると、前記ばねは圧縮状態になる、請求項３に記載のコネクタ。
【請求項５】
前記弾性部品はばねであり、該ばねの一端が前記エンクロージャの下部カバーに接続され、他端が前記固定フレームに接続されており、前記固定フレームの前記ピンが前記貫通孔の外に延びると、前記ばねは伸長状態になる、請求項３に記載のコネクタ。
【請求項６】
リニアガイド構造体が前記エンクロージャ内に配置され、前記リニアガイド構造体は、前記固定フレームを前記上部カバーに直交する方向に移動するのを案内するように構成される、請求項１乃至５のいずれか一項に記載のコネクタ。
【請求項７】
前記リニアガイド構造体は、前記上部カバーの下面に固定されたガイドフレームを含み、該ガイドフレームの側壁が、前記上部カバーに直交する方向に延びており、前記固定フレームは、前記ガイドフレーム内に配置され且つ前記ガイドフレームに一致する、請求項６に記載のコネクタ。
【請求項８】
前記プラグ構造体は、前記固定フレームに配置された制限ロッドを含み、該制限ロッドは前記ピンと平行であり、前記制限ロッドの長さが前記ピンの長さよりも大きい、請求項１乃至７のいずれか一項に記載のコネクタ。
【請求項９】
前記プラグ構造体は、前記上部カバーに配置された位置決め溝を含み、前記ピンは、前記位置決め溝に配置され、前記位置決め溝は、前記第２の電子コンポーネントの下端と一致するように構成される、請求項１乃至７のいずれか一項に記載のコネクタ。
【請求項１０】
前記第２の磁石は電磁石であり、ホールスイッチが、前記第２の電子コンポーネント内に配置されており、前記第１の磁石が前記ホールスイッチの感知範囲に入ると、前記ホールスイッチは前記電磁石の制御回路に信号を送り、それによって前記電磁石の制御回路の電源を入れる、請求項１乃至９のいずれか一項に記載のコネクタ。
【請求項１１】
請求項１乃至１０のいずれか一項に記載のコネクタを含む電子コンポーネント。
【請求項１２】
第１の電子コンポーネントと第２の電子コンポーネントとを含む電子装置であって、請求項１乃至１０のいずれか一項に記載の前記コネクタを使用することにより前記第１の電子コンポーネントと前記第２の電子コンポーネントとが接続される、電子装置。
【請求項１３】
前記第１の電子コンポーネントは、前記コネクタを含む、請求項１２に記載の電子装置。
【請求項１４】
前記第１の電子コンポーネントはキーボードであり、前記第２の電子コンポーネントはタブレット・コンピュータである、又は
前記第１の電子コンポーネントはタブレット・コンピュータであり、前記第２の電子コンポーネントはキーボードである、請求項１２又は１３に記載の電子装置。
【発明の詳細な説明】
【技術分野】
【０００１】
本願は、２０１７年３月２９日に中国特許庁に出願された、“LIFTING CONNECTOR STRUCTURE”という名称の中国特許出願第２０１７１０１９８３７８．０号に対する優先権を主張するものであり、この文献は、その全体が参照により本明細書に組み込まれる。
【０００２】
本願は、電子製品技術の分野に関し、特に、コネクタ、電子コンポーネント、及び電子装置に関する。
【背景技術】
【０００３】
人々のオフィス要件を満たすために、タブレット・コンピュータに接続されるキーボードが設計されている。タブレット・コンピュータとキーボードを組み合わせた方式又は着脱可能な方式で形成された製品は、ツーインワン（two-in-one）コンピュータと呼ばれる。既存のツーインワン・コンピュータのタブレット・コンピュータ及びキーボードは、物理コネクタを使用することにより又はBluetoothによって接続することができる。
【０００４】
例えば、図１は、ツーインワン・コンピュータで使用され、従来技術の物理コネクタを有するキーボード０１を示す。物理コネクタは、キーボード０１の後端に配置される。物理コネクタは、キーボード０１の上面に固定されたピンアセンブリ０１１を含む。ピンは、キーボード０１の上面から突出し、ピンアセンブリ０１１は、直線に沿って配置された複数のピン（つまり、ポゴピン（Pogo Pin））を含む。制限ロッド０１２がピンアセンブリ０１１の両側に配置され、制限ロッド０１２は、キーボード１及びタブレット・コンピュータを位置決めするように構成される。磁石（図示せず）が、キーボード０１とタブレット・コンピュータとの間の接合部に配置される。タブレット・コンピュータがキーボード１に近づくと、タブレット・コンピュータとキーボード０１のピンアセンブリ０１１との接続ポイントが、制限ロッド０１２を使用することにより最初に配置され、そして、位置合せ後に、タブレット・コンピュータをキーボード０１に近づける。このようにして、キーボード０１は、磁石同士の間の引力によりタブレット・コンピュータに機械的に接続される。タブレット・コンピュータがキーボード０１に機械的に接続されると、タブレット・コンピュータの接続ポイントがキーボード０１のピンに接触して、キーボード０１とタブレット・コンピュータとの間の電気接続が実施される。
【０００５】
ピンアセンブリ０１１がキーボード０１の上面から突出しているため、ピンは、保管及び輸送プロセスにおいて容易に損傷を受ける可能性がある。その結果、キーボードをタブレット・コンピュータに電気的に接続できなくなり、キーボードの故障の問題が発生する。
【発明の概要】
【０００６】
本願の実施形態は、キーボードの上面から突出するピンが容易に損傷を受ける可能性があるという従来技術の問題を解決するためのコネクタ、電子コンポーネント、及び電子装置を提供する。
【０００７】
前述した目的を達成するために、以下の技術的解決策が本願の実施形態で使用される。
【０００８】
第１の態様によれば、本願は、第１の電子コンポーネントと第２の電子コンポーネントとを接続するように構成されたコネクタを提供する。コネクタは、貫通孔が配置されるエンクロージャと；ピンアセンブリであって、ピンアセンブリはエンクロージャ内に配置され、ピンアセンブリはエンクロージャに対して移動可能であり、ピンアセンブリは固定フレームを含み、ピンが固定フレームに配置される、ピンアセンブリと；フレキシブルプリント回路基板であって、フレキシブルプリント回路基板の一端がピンに接続され、フレキシブルプリント回路基板の他端が第１の電子コンポーネント内の回路基板に接続されるように構成される、フレキシブルプリント回路基板と；第２の電子コンポーネントに着脱可能に接続されるように構成されるプラグ構造体と；駆動アセンブリであって、第２の電子コンポーネントがプラグ構造体に接続されると、駆動アセンブリは、ピンアセンブリを駆動させてエンクロージャに対して貫通孔に近づく方向に移動させることができ、それによって、ピンは、貫通孔の外に延び且つ第２の電子コンポーネントに接続される、駆動アセンブリと；を含む。
【０００９】
本願のこの実施形態で提供されるコネクタによれば、ピンアセンブリはエンクロージャに対して移動可能であり、そして、保管及び輸送中に、ピンアセンブリがエンクロージャ内に配置されるため、エンクロージャによってピンアセンブリを容易に損傷しないように保護することができる。コネクタがツーインワン・タブレット・コンピュータに適用されるときに、第２の電子コンポーネントがタブレット・コンピュータであり、第１の電子コンポーネントがキーボードである場合に、タブレット・コンピュータがプラグ構造体に接続された後に、駆動アセンブリによってピンアセンブリを駆動させて貫通孔の近くに移動させ、それによってピンが貫通孔の外に延びてタブレット・コンピュータに接続され、タブレット・コンピュータとキーボードとを接続する。
【００１０】
オプションで、駆動アセンブリは、固定フレームに固定された第１の磁石を含む。第１の磁石は、第２の電子コンポーネント内の第２の磁石に一致（match:結合）して接続されるように構成される。貫通孔は、エンクロージャの上部カバーで開口している。第２の電子コンポーネントがプラグ構造体に接続されると、第１の磁石と第２の磁石との間の引力によって、第１の磁石及びピンアセンブリを駆動させて貫通孔の近くに移動させることができる。接続が磁気引力によって実施されるこのスキームでは、コネクタの構造は簡素であり、接続は信頼できる。
【００１１】
オプションで、磁気引力部品が、第１の磁石に対応し且つエンクロージャの下部カバーにある位置に配置される。第２の電子コンポーネントがプラグ構造体に接続されると、第１の磁石と第２の磁石との間の引力は、第１の磁石と磁気引力部品との間の引力よりも大きい。ピンアセンブリがエンクロージャ内に配置されると、磁気引力部品及び第２の磁石が互いに引き付けられるため、ピンアセンブリ及びエンクロージャの下部カバーは揺れずに確実に接続され、ピンアセンブリとエンクロージャの貫通孔との間の位置ずれの問題を回避する。
【００１２】
オプションで、弾性部品が、ピンアセンブリとエンクロージャとの間に配置される。弾性部品によってピンアセンブリに力を加えて、ピンアセンブリを下部カバーの近くに移動させる。第２の電子コンポーネントがプラグ構造体から係合解除されるときに、弾性部品はピンアセンブリをエンクロージャ内に引き戻し、弾性部品はピンアセンブリ及びエンクロージャに固定して接続され、それによってピンが貫通孔と正確に位置合わせされる。
【００１３】
オプションで、弾性部品はばねである。ばねの一端がエンクロージャの上部カバーに接続され、他端が固定フレームに接続される。固定フレームのピンが貫通孔の外に延びると、ばねは圧縮状態になり、ばねによってピンアセンブリに力を加えて、ピンアセンブリを下部カバーの近くに移動させる。第２の電子コンポーネントがプラグ構造体から係合解除されるときに、第１の磁石も第２の磁石から係合解除され、ばねの復元力によってピンアセンブリをエンクロージャ内に押し戻す。従って、コネクタの構造は簡素である。
【００１４】
オプションで、弾性部品はばねである。ばねの一端がエンクロージャの下部カバーに接続され、他端が固定フレームに接続される。固定フレームのピンが貫通孔の外に延びると、ばねは伸長状態になり、ばねによってピンアセンブリに力を加えて、ピンアセンブリを下部カバーの近くに移動させる。第２の電子コンポーネントがプラグ構造体から係合解除されるときに、第１の磁石も第２の磁石から係合解除され、ばねの復元力によってピンアセンブリをエンクロージャ内に引き戻す。従って、コネクタの構造は簡素である。
【００１５】
オプションで、駆動アセンブリは、伝達構造を使用することにより固定フレームに接続されたモータと、モータに接続されたホールスイッチとを含む。第２の磁石は、第２の電子コンポーネント内に配置される。第２の磁石がホールスイッチの感知範囲に入ると、ホールスイッチは起動信号をモータに送信し、モータによってピンアセンブリを駆動して貫通孔の近くに移動させる。ピンアセンブリは鋭敏であり、従ってピンを素早く延ばすことができる。
【００１６】
オプションで、リニアガイド構造体がエンクロージャ内に配置される。リニアガイド構造体は、固定フレームを上部カバーに直交する方向に移動するのを案内するように構成される。このようにして、固定フレームの移動トラックがリニアガイド構造体によって制限され、それによってピンが貫通孔の外に正確に延びることができる。
【００１７】
オプションで、リニアガイド構造体は、上部カバーの下面に固定されたガイドフレームを含み、ガイドフレームの側壁が、上部カバーに直交する方向に延びており、固定フレームは、ガイドフレーム内に配置され且つガイドフレームに一致する。このようにして、固定フレームの移動方向はガイドフレームによって制限される。コネクタの構造は簡素であり、従って取り付けが便利である。
【００１８】
オプションで、固定フレームは、回転シャフトによってエンクロージャにヒンジ止めされる。駆動アセンブリは、固定フレームを駆動させて貫通孔の近くに回転させることができ、且つ固定フレームを駆動させて貫通孔から離れるように回転させることができる。回転方式は便利であり、制限装置は不要である。従って、コネクタの構造は簡素である。
【００１９】
オプションで、プラグ構造体は、固定フレームに配置された制限ロッドを含む。制限ロッドはピンと平行であり、制限ロッドの長さがピンの長さよりも長い。第１の電子コンポーネント及び第２の電子コンポーネントを接続する位置は、制限ロッドを使用することにより決定され、それによって第１の電子コンポーネントと第２の電子コンポーネントとの両方が正確に位置決めされる。
【００２０】
オプションで、プラグ構造体は、上部カバーに配置された位置決め溝を含み、ピンは位置決め溝に配置される。位置決め溝は、第２の電子コンポーネントの下端と一致するように構成される。第２の電子コンポーネントの第１の電子コンポーネントへの取り付け位置は、位置決め溝により制限される。この場合に、制限ロッドは不要であり、従って第１の電子コンポーネントの外観はより美しくなる。
【００２１】
オプションで、第２の磁石は電磁石であり、ホールスイッチが第２の電子コンポーネント内に配置される。第１の磁石がホールスイッチの感知範囲に入ると、ホールスイッチは電磁石の制御回路に信号を送り、それによって電磁石の制御回路の電源を入れる。このようにして、第１の磁石を第２の磁石から係合解除するのは容易で便利である。
【００２２】
第２の態様によれば、本願は、前述した技術的解決策のいずれか１つによるコネクタを含む電子コンポーネントを提供する。
【００２３】
第３の態様によれば、本願は、第１の電子コンポーネントと第２の電子コンポーネントとを含む電子装置を提供する。第１の電子コンポーネント及び第２の電子コンポーネントは、前述した技術的解決策のいずれか１つによるコネクタを使用することにより接続され、第１の電子コンポーネント及び第２の電子コンポーネントは確実に接続される。
【００２４】
オプションで、第１の電子コンポーネントは、前述した技術的解決策のいずれか１つによるコネクタを含む。
【００２５】
オプションで、第１の電子コンポーネントはキーボードであり、第２の電子コンポーネントはタブレット・コンピュータである、又は、第１の電子コンポーネントはタブレット・コンピュータであり、第２の電子コンポーネントはキーボードである。
【図面の簡単な説明】
【００２６】
【図１】従来技術のツーインワン・コンピュータのキーボードの概略構造図である。
【図２】本願の一実施形態によるコネクタの構造分解図である。
【図３】本願の一実施形態によるコネクタの貫通孔の外に延びるピンの部分概略図である。
【図４】本願の一実施形態によるツーインワン・コンピュータのピンを使用することによりキーボード及びタブレット・コンピュータを接続する部分概略図である。
【図５】本願の一実施形態によるコネクタ内のピンアセンブリの構造分解図である。
【図６】本願の一実施形態によるツーインワン・コンピュータのコネクタを使用することによりキーボード及びタブレット・コンピュータを接続する部分概略図である。
【図７】図６の部分拡大図である。
【図８】本願の一実施形態によるコネクタ内の別のピンアセンブリの構造分解図である。
【図９】本願の一実施形態による、コネクタ内で回転するピンアセンブリの構造分解図である。
【図１０】本願の一実施形態による、コネクタ内で回転するピンアセンブリの概略組立図である。
【図１１】本願の一実施形態によるコネクタ内のピンの概略構造図である。
【図１２】本願の一実施形態による、コネクタの位置決め溝であるプラグ構造体の概略構造図である。
【発明を実施するための形態】
【００２７】
以下において、本願の実施形態における添付図面を参照して、本願の実施形態における技術的解決策を説明する。
【００２８】
本願の説明において、「中央部」、「上部」、「下部」、「前部」、「後部」、「左」、「右」、「垂直」、「水平」、「上」、「下」、「内側」、又は「外側」等の用語によって示される方向又は位置関係は、添付の図面に基づいて示される方向又は位置関係であり、単に本願を説明し、説明を簡略化するために使用されるが、示された装置又は要素が特定の方向を有する必要があり、特定の方向の構造で構築する必要があり、特定の方向で操作する必要があることを指定又は暗示することを意図していないため、本願の制限として解釈できない。
【００２９】
本願の説明において、「取り付ける」、「接続する」、及び「接続」という用語は、特に明確に指定及び限定されない限り、広い意味で理解すべきであることに留意されたい。例えば、接続は、固定接続でもよく、着脱可能な接続でもよく、又は接触接続でも一体型接続でもよい。当業者は、特定の事例に基づいて、本願における用語の特定の意味を理解し得る。
【００３０】
本願の実施形態における電子装置は、第１の電子コンポーネントと第２の電子コンポーネントとを含む。第１の電子コンポーネント又は第２の電子コンポーネントはコネクタを含み、第１の電子コンポーネント及び第２の電子コンポーネントは、コネクタを使用することにより互いに接続することができ、それによって２つの電子コンポーネントは、１つの電子装置、例えばツーインワン・コンピュータとして使用される。この場合に、第１の電子コンポーネントはキーボードであってもよく、第２の電子コンポーネントはタブレット・コンピュータであってもよい。指定されたキーボード及びタブレット・コンピュータは単なる簡単な例であることに留意されたい。実際には、第１の電子コンポーネントはタブレット・コンピュータであり、第２の電子コンポーネントはキーボードであると想定することができ、接続方法は、第１の電子コンポーネントがキーボードであり、第２の電子コンポーネントがタブレット・コンピュータであると想定した接続方式と同じである。詳細はここでは説明しない。
【００３１】
電子装置がツーインワン・コンピュータであり、第１の電子コンポーネントがキーボードであり、第２の電子コンポーネントがタブレット・コンピュータであり、キーボードがコネクタを含むことを例として使用する。図２は、本願の一実施形態によるコネクタの構造分解図である。図３は、本願の一実施形態によるコネクタの貫通孔の外に延びるピンの部分概略図である。図４は、本願の一実施形態によるツーインワン・コンピュータでピンを使用することによりキーボード及びタブレット・コンピュータを接続する部分概略図である。図５は、本願の一実施形態によるコネクタ内のピンアセンブリの構造分解図である。
【００３２】
次に、図２〜図５を参照して、コネクタの構造について説明する。
【００３３】
コネクタは、エンクロージャ１とフレキシブルプリント回路基板３とを含む。貫通孔１１１がエンクロージャ１に配置され、ピンアセンブリ２がエンクロージャ１に配置され、ピンアセンブリ２はエンクロージャ１に対して移動可能である。ピンアセンブリ２は、固定フレーム２１を含む。ピン２２が、固定フレーム２１に配置される。フレキシブルプリント回路基板３の一端がピン２２に接続され、フレキシブルプリント回路基板の他端が、キーボード１００の回路基板（図示せず）に接続されるように構成される。コネクタは、プラグ構造体４と駆動アセンブリ５とをさらに含む。プラグ構造体４は、タブレット・コンピュータ２００に着脱可能に接続されるように構成される。タブレット・コンピュータ２００がプラグ構造体４に接続されると、駆動アセンブリ５は、ピンアセンブリ２を駆動させてエンクロージャ１に対して貫通孔１１１に近づく方向に移動させることができ、それによって、ピン２２は、貫通孔１１１の外に延び且つタブレット・コンピュータ２００に接続され、キーボード１００とタブレット・コンピュータ２００とを結合する。
【００３４】
本願のこの実施形態で提供されるコネクタによれば、ピンアセンブリ２はエンクロージャ１に対して移動可能である。保管及び輸送中に、ピンアセンブリ２がエンクロージャ１内に配置されるため、エンクロージャ１によってピンアセンブリ２が容易に損傷しないように保護することができる。コネクタのフレキシブルプリント回路基板は、キーボードの回路基板に接続される。タブレット・コンピュータ２００がプラグ構造体４に接続されると、駆動アセンブリ５は、ピンアセンブリ２を駆動させてエンクロージャ１に対して貫通孔１１１に近づく方向に移動させ、それによってピン２２は、貫通孔１１１の外に延び且つタブレット・コンピュータ２００に接続され、タブレット・コンピュータ２００とキーボード１００とを接続する。
【００３５】
図６は、本願の一実施形態によるツーインワン・コンピュータのコネクタを使用することによりキーボードとタブレット・コンピュータとを接続する部分概略図である。図７は、図６の部分拡大図である。
【００３６】
前述した実施態様における駆動アセンブリ５は、複数の構造的構成スキームを有してもよい。例えば、駆動アセンブリ５は、固定フレーム２１に固定された第１の磁石５１を含む。図２、図６、及び図７に示されるように、第１の磁石５１は、タブレット・コンピュータ２００の第２の磁石２００１と一致して接続されるように構成され、貫通孔１１１は、エンクロージャ１の上部カバー１１で開口している。タブレット・コンピュータ２００がプラグ構造体４に接続されると、第１の磁石５１及び第２の磁石２００１が互いに引き付けられ、第１の磁石５１及びピンアセンブリ２を駆動させて貫通孔１１１の近くに移動させる（move close to:近づける）。駆動が磁気引力によって実施されるこの方法において、伝達構造は不要であり、コネクタの構造は簡素であり、接続は信頼できる。オプションで、ピンアセンブリ２は、直線に沿って又は回転方式で移動することができる。第１の磁石５１及び固定フレーム２１は、接合方式で接続してもよく、専用の磁石固定具を使用することにより接続してもよい。第１の磁石５１は磁石固定具に固定されており、磁石固定具は固定フレーム２１に固定して接続される。
【００３７】
さらに、図５を参照すると、ピンアセンブリ２は、複数のピン２２を含む。複数のピン２２は、支持プレート２３に固定される。ピン２２は、フレキシブルプリント回路基板３（すなわち、FPC, Flexible Printed Circuit）に接続される。複数の接続孔２１１が、固定フレーム２１のピン２２に対応する位置で開口している。ピン２２は、接続孔２１１からそれぞれ延びており、支持プレート２３及び固定フレーム２１は、ボルトを使用することにより互いに接合又は固定される。
【００３８】
タブレット・コンピュータがキーボードから取り外されると、第１の磁石５１は第２の磁石２００１から係合解除され、ピンアセンブリ２及び第１の磁石５１は重力の下でエンクロージャ１内に落下し得る。従って、コネクタの構造は簡素である。
【００３９】
オプションで、図２を参照すると、本願のこの実施形態では、磁気引力部品６がエンクロージャ１の下部カバー１２に配置される。タブレット・コンピュータ２００がプラグ構造体４に接続されると、第１の磁石５１と第２の磁石２００１との間の引力は、第１の磁石５１と磁気引力部品６との間の引力よりも大きい。この場合に、図２、及び図５〜図７に示されるように、第１の磁石５１と第２の磁石２００１との間の引力によって、ピン２２を駆動させて貫通孔１１１の外に延びさせ、タブレット・コンピュータ２００に接続させる。タブレット・コンピュータ２００がプラグ構造体４から係合解除されるときに、第２の磁石２００１は第１の磁石５１の磁力範囲内になく、エンクロージャ１の第１の磁石５１及び下部カバー１２の磁気引力部品６は、互いに引き付けられる。この場合に、磁力と重力との両方の下で、ピンアセンブリ２はエンクロージャ１内での落下を加速させ、ピンアセンブリ２の位置はエンクロージャ１の下部カバー１２の位置に対して固定される。これにより、ユーザがキーボードを動かしたりひっくり返したりするときに、ピン２２が貫通孔１１１の外に延びたり、ピンアセンブリ２が揺れによってエンクロージャ１に異音を発生させたりするのを防ぐ。また、これにより、ピンアセンブリ２が輸送や衝突によりエンクロージャ１内で揺れた場合に、エンクロージャ１のピンアセンブリ２と貫通孔１１１との間の位置ずれの問題を回避することができる。磁気引力部品６は、第１の磁石５１とは異なる磁気を有する磁石であってもよく、あるいはまた鉄材で作製してもよい。
【００４０】
オプションで、磁気引力部品６を交換するために、ピンアセンブリ２とエンクロージャ１の間に弾性部品を配置してもよい。弾性部品によってピンアセンブリ２に力を加えて、ピンアセンブリ２をエンクロージャ１の下部カバー１２の近くに移動させる。弾性部品によってピンアセンブリ２をエンクロージャ１内に押し戻すことができ、ピンアセンブリ２はエンクロージャ１に固定して接続され、従って、ピンアセンブリ２の位置が制限される。これにより、ピンアセンブリ２とエンクロージャ１の貫通孔１１１との間の位置ずれの問題が回避され、動作プロセスでのノイズが低くなる。
【００４１】
さらに、オプションで、弾性部品はばねであることに留意されたい。ばねの一端がエンクロージャ１の上部カバー１１に接続され、他端が固定フレーム２１に接続される。固定フレーム２１が貫通孔１１１の外に延びると、ばねは圧縮状態になり、そして、ばねによってピンアセンブリ２に力を加えて、ピンアセンブリ２を下部カバー１２の近くに移動させる。あるいはまた、ばねの一端がエンクロージャ１の下部カバー１２に接続され、他端が固定フレーム２１に接続される。固定フレーム２１が貫通孔１１１の外に延びると、ばねは伸長状態になり、そして、ばねによってピンアセンブリ２に力を加えて、ピンアセンブリ２を固定フレーム２１の近くに移動させる。前述した両方の実施態様において、ばねをエンクロージャ１に固定して接続してもよい。タブレット・コンピュータ２００がプラグ構造体４から係合解除されると、ばねの復元力によってピンアセンブリ２をエンクロージャ１内に押し戻す。従って、コネクタの構造は簡素であり、取り付けは便利である。
【００４２】
確かに、磁気引力により駆動される方法で動くようにピンアセンブリ２を駆動する方式に加えて、本願は別の実施形態をさらに提供する。駆動アセンブリ５は、伝達構造を使用することにより固定フレーム２１に接続されたモータ（図示せず）と、モータに接続されたホール（Hall）スイッチ（図示せず）とを含む。第２の磁石２００１がタブレット・コンピュータ２００にさらに配置される。第２の磁石２００１がホールスイッチの感知範囲に入ると、ホールスイッチは起動信号をモータに送り、それによってモータがピンアセンブリ２を駆動して貫通孔１１１の近くに移動させる。換言すると、ピン２２は、図７に示されるように、貫通孔１１１の外に延びる。モータによってピンアセンブリ２を駆動して移動させるこの方法において、ピンアセンブリ２はより安定して移動する。さらに、ピンアセンブリ２は鋭敏であり、従ってピンを素早く延ばすことができる。モータによってピンアセンブリ２を駆動して、回転方式で移動させるか、又は直線に沿って移動させることができる。
【００４３】
ピンアセンブリ２が直線に沿って移動するときに、駆動構造体がピンアセンブリ２を駆動して移動させる場合に、機械的アセンブリ、モータ振動、又は磁石の不均等な磁力等の問題のために、ピンアセンブリ２は容易に外れる可能性がある。貫通孔１１１の外に延びるときに、ピン２２を貫通孔１１１と位置合わせする必要がある。ピン２２の位置ずれが大きい場合に、ピン２２は、タブレット・コンピュータ２００への接続のために貫通孔１１１の外に延びることができない。オプションで、本願の実施形態では、リニアガイド構造体がエンクロージャ１内に配置される。リニアガイド構造体は、固定フレーム２１を駆動させて、上部カバー１１に直交する方向に移動させる。これにより、固定フレーム２１の位置ずれを防ぐことができる。換言すると、固定フレーム２１のピン２２は、貫通孔１１１から正確に延びることができる。
【００４４】
図８は、本願の一実施形態によるコネクタ内の別のピンアセンブリの構造分解図である。図９は、本願の一実施形態によるコネクタ内で回転するピンアセンブリの構造分解図である。図１０は、本願の一実施形態によるコネクタ内で回転するピンアセンブリの概略組立図である。
【００４５】
図５及び図８を参照すると、リニアガイド構造体は、上部カバー１１の下面に固定されたガイドフレーム７を含み、ガイドフレーム７の側壁は、上部カバー１１に直交する方向に延びており、固定フレーム２１は、ガイドフレーム７内に配置されガイドフレーム７と一致し、それによって固定フレーム２１は、上部カバー１１に直交する方向に上下にのみ移動し、固定フレーム２１上のピン２２のずれを回避することができる。ガイドフレーム７の構造は簡素であり、従って、取り付けは便利である。オプションで、リニアガイド構造体は、上部カバー１１の下面に配置された複数のガイドレールであってもよい。ガイドレールは、上部カバー１１に直交する方向に延びる。これに対応して、複数のガイドポストが、固定フレーム２１の周囲エッジに配置される。ガイドポストは、摺動し且つガイドレールと係合し、それによって固定フレーム２１は指定された方向に移動する。オプションで、リニアガイド構造体は、エンクロージャ１の上部カバー１１と下部カバー１２との間に１つ又は複数のガイドポストをさらに含んでもよい。ガイドポストの下端が下部カバー１２に固定して接続され、ガイドポストに一致するマッチング孔が固定フレーム２１に開口しており、ガイドポストは、マッチング孔の外に延び且つ上部カバー１１に固定して接続され、ガイドポストは上部カバー１１に直交する方向に延びており、それによって固定フレーム２１はガイドポストの延びる方向に上下に移動する必要がある。
【００４６】
オプションで、固定フレーム２１は、代替的に、回転方式で動くように設計してもよい。図４、図９、及び図１０を参照すると、本願の実施形態では、固定フレーム２１は、回転シャフト８によってエンクロージャ１にヒンジ止めされる。駆動アセンブリ５によって固定フレーム２１を駆動させて、貫通孔１１１の近くに回転させることができ、それによってピン２２は貫通孔１１１の外に延びる。或いは、駆動アセンブリ５によって固定フレーム２１を駆動させて貫通孔１１１から離れるように回転させることができ、それによってピン２２はエンクロージャ１内に引き込まれる。回転方式は便利であり、制限装置は不要であり、従って、コネクタの構造は簡素である。また、ピン２２が回転方式で貫通孔１１１の外に延びるときに、ピン２２の角度も変化し、その結果、ピン２２が貫通孔１１１の内壁に当たり易くなる。従って、貫通孔１１１は、ピン２２を避けるために大きく設計する必要がある。
【００４７】
オプションで、図７を参照すると、プラグ構造体４は、固定フレーム２１に配置された制限ロッド４１を含む。制限ロッド４１はピン２２と平行に配置され、制限ロッド４１の長さはピン２２の長さより大きい。これに対応して、制限ロッド４１に一致する位置決め孔が、タブレット・コンピュータ２００に配置される。複数のピン２２が直線に沿って分布している場合に、図５に示されるように、１つの制限ロッド４１が、ピン２２に沿って延びる方向の両側にそれぞれ配置される。タブレット・コンピュータ２００がキーボード１００に接続されると、制限ロッド４１は最初にタブレット・コンピュータ２００の位置決め孔内に延び、次にタブレット・コンピュータ２００の接触接続ポイントが、位置決め孔の延びる方向でピン２２に接触し、タブレット・コンピュータ２００とキーボード１００との間の電気接続を実施する。これは、プラグ構造体４を使用することによりタブレット・コンピュータ２００及びキーボード１００を正確に位置決めするために便利であり得る。タブレット・コンピュータ２００とキーボード１００との間の機械的接続強度はさらに強化される。
【００４８】
図１１は、本願の一実施形態によるコネクタ内のピンの概略構造図である。図１２は、本願の一実施形態によるコネクタの位置決め溝であるプラグ構造体の概略構造図である。
【００４９】
図１１を参照すると、圧縮ばね２２１がピン２２に配置される。ピン２２がタブレット・コンピュータ２００の接触接続ポイントに接触した後に、タブレット・コンピュータ２００は、圧縮ばね２２１をさらに押し、タブレット・コンピュータ２００及びキーボード１００が確実に位置決めされ且つ接続されるまで、ピン２２の圧縮ばね２２１を圧縮する。
【００５０】
オプションで、前述したプラグ構造体４は、代替的に、別の方式を使用してもよい。例えば、プラグ構造体４は、上部カバー１１に配置された位置決め溝４０１を含む。位置決め溝４０１の下端の長さ及び幅は、タブレット・コンピュータの下端の長さ及び幅と同じである。そして、ピン２２は位置決め溝４０１内に配置される。図１２に示されるように、タブレット・コンピュータ２００がプラグ構造体４に接続されると、タブレット・コンピュータ２００の下端は位置決め溝４０１に一致して位置決め溝４０１内に延びており、タブレット・コンピュータ２００の下端は位置決め溝４０１に正確に挿入される。従って、タブレット・コンピュータ２００の前後左右方向の自由度（前後方向は図１２にＬで示される方向であり、左右方向は図１２にＰで示される方向である）は、タブレット・コンピュータ２００の接続ポイントとキーボード１００のピン２２との間の正確な接続を実施するように制限される。位置決め溝４０１は、キーボード１００の上面から突出しない。従って、制限ロッド４１は配置されず、外観はより美しく、位置決めはより便利である。確かに、プラグ構造体４は、代替的に、制限ロッド４１と位置決め溝４０１とを組み合わせた方式を使用することができ、それによってキーボード１００及びタブレット・コンピュータ２００はより正確に位置決めされ、接続強度がより高くなる。
【００５１】
第１の磁石５１及び第２の磁石２００１は、永久磁石（ハード磁石とも呼ばれる）であってもよく、又はソフト磁石（例えば、電磁石）であってもよい。本願の一実施形態では、第２の磁石２００１は電磁石であり、ホールスイッチがタブレット・コンピュータに配置される。第１の磁石５１がホールスイッチの感知範囲に入ると、ホールスイッチは、第２の磁石２００１の制御回路に信号を送り、それによって第２の磁石２００１の制御回路の電源を入れて、第２の磁石２００１を磁化する。
【００５２】
本願の実施形態は、前述した技術的解決策のいずれか１つによるコネクタを含む電子コンポーネントをさらに含む。電子コンポーネントは、ツーインワン・コンピュータのキーボードであってもよく、又はツーインワン・コンピュータのタブレット・コンピュータであってもよい。電子コンポーネントが別の電子コンポーネントに接続されるときに、コネクタは、２つの電子コンポーネントが確実に接続されるように保証することができる。
【００５３】
本明細書の説明において、説明した特定の特徴、構造、材料、又は特性は、実施形態又は実施例のいずれか１つ又は複数において適切な方法で組み合わせてもよい。
【００５４】
最後に、前述した実施形態は、本願の技術的解決策を説明することのみを意図しており、本願を限定することを意図していないことに留意されたい。本願は、前述した実施形態を参照して詳細に説明されるが、当業者は、本願の実施形態の技術的解決策の精神及び範囲から逸脱することなく、前述した実施形態で説明した技術的解決策に修正をさらに加えるか、又はそのいくつかの技術的特徴に同等の置き換えを行うことができることを理解すべきである。
【図１】
0006896880.tif 000002
【図２】
0006896880.tif 000003
【図３】
0006896880.tif 000004
【図４】
0006896880.tif 000005
【図５】
0006896880.tif 000006
【図６】
0006896880.tif 000007
【図７】
0006896880.tif 000008
【図８】
0006896880.tif 000009
【図９】
0006896880.tif 000010
【図１０】
0006896880.tif 000011
【図１１】
0006896880.tif 000012
【図１２】
0006896880.tif 000013